(57)【要約】【課題】媒体を汚すことなく読取済みであることを特定する画像を媒体に付与すること。【解決手段】表面に読取対象の画像が記録された媒体（Ｇｉ）が搬送される搬送路（ＳＨ０）と、前記搬送路（ＳＨ０）に予め設定された読取位置（ＰＧ１）において媒体（Ｇｉ）の画像を読み取る読取部材（ＣＣＤ）と、読取位置（ＰＧ１）よりも媒体（Ｇｉ）の搬送方向の下流側に配置され、前記読取部材（ＣＣＤ）で画像が読み取られた媒体（Ｇｉ）に対して、読取が終了したことを特定する特定画像（１１）であって、不可視の前記特定画像（１１）を記録する記録部材（６）と、を備えた画像読取装置（Ｕ１）。【選択図】図３
2012065033.tif 000002
【特許請求の範囲】
【請求項１】
表面に読取対象の画像が記録された媒体が搬送される搬送路と、
前記搬送路に予め設定された読取位置において、媒体の画像を読み取る読取部材と、
読取位置よりも媒体の搬送方向の下流側に配置され、前記読取部材で画像が読み取られた媒体に対して、読取が終了したことを特定する特定画像であって、不可視の前記特定画像を記録する記録部材と、
を備えたことを特徴とする画像読取装置。
【請求項２】
前記読取対象の画像の内部に前記特定画像を記録する前記記録部材、
を備えたことを特徴とする請求項１に記載の画像読取装置。
【請求項３】
赤外線を吸収する材料を含む透明な現像剤を使用して、前記特定画像を記録する前記記録部材、
を備えたことを特徴とする請求項１または２に記載の画像読取装置。
【請求項４】
赤外線を前記媒体に対して照射する光源部と、前記媒体からの反射光を受光する受光部と、を有し、前記特定画像を読み取る第２の読取部材、
を備えたことを特徴とする請求項３に記載の画像読取装置。
【請求項５】
前記記録部材よりも媒体の搬送方向の上流側に配置され、読取対象の画像が記録された媒体に記録された前記特定画像を読み取る前記第２の読取部材と、
前記第２の読取部材の読取結果に基づいて、前記媒体に対する前記特定画像の位置を検出する位置検出手段と、
前記位置検出手段で検出された前記特定画像の位置に基づいて、前記特定画像の位置に対してずれた位置に、特定画像を記録する前記記録部材と、
を備えたことを特徴とする請求項４に記載の画像読取装置。
【請求項６】
表面に画像が記録された媒体の画像を読み取る請求項１ないし５のいずれかに記載の画像読取装置と、
前記画像読取装置で読み取られた画像を媒体に記録する画像記録装置と、
を備えたことを特徴とする画像形成装置。
【発明の詳細な説明】
【技術分野】
【０００１】
本発明は、画像読取装置および画像形成装置に関する。
【背景技術】
【０００２】
スキャナーのような画像読取装置またはＦＡＸ、複写機等の画像読取装置を備えた画像形成装置において、画像が読み取られた媒体に対して、読み取られたことを特定するための技術に関し、以下の特許文献１に記載の技術が従来公知である。
特許文献１としての特開２００９−２２５３７５号公報には、複合装置（１）のＦＡＸにおいて、スキャナ部（４）で読み取られた原稿に対して、済みスタンプ部（５０）の済みスタンプ記録部（６１）により、所定の済みスタンプ、例えば、丸内に「済」の字からなる済みスタンプを原稿に記録する技術が記載されている。また、特許文献１には、済みスタンプ記録部（６１）が、移動ベルト（６５）で主走査方向に移動可能に構成されており、読取回数等に応じて、異なる位置に済みスタンプを記録する構成も記載されている。
【先行技術文献】
【特許文献】
【０００３】
【特許文献１】特開２００９−２２５３７５号公報（「００３４」〜「００４０」、図３）
【発明の概要】
【発明が解決しようとする課題】
【０００４】
本発明は、媒体を汚すことなく読取済みであることを特定する画像を媒体に付与することを技術的課題とする。
【課題を解決するための手段】
【０００５】
前記技術的課題を解決するために、請求項１に記載の発明の画像読取装置は、
表面に読取対象の画像が記録された媒体が搬送される搬送路と、
前記搬送路に予め設定された読取位置において、媒体の画像を読み取る読取部材と、
読取位置よりも媒体の搬送方向の下流側に配置され、前記読取部材で画像が読み取られた媒体に対して、読取が終了したことを特定する特定画像であって、不可視の前記特定画像を記録する記録部材と、
を備えたことを特徴とする。
【０００６】
請求項２に記載の発明は、請求項１に記載の画像読取装置において、
前記読取対象の画像の内部に前記特定画像を記録する前記記録部材
を備えたことを特徴とする。
【０００７】
請求項３に記載の発明は、請求項１または２に記載の画像読取装置において、
赤外線を吸収する材料を含む透明な現像剤を使用して、前記特定画像を記録する前記記録部材、
を備えたことを特徴とする。
【０００８】
請求項４に記載の発明は、請求項３に記載の画像読取装置において、
赤外線を前記媒体に対して照射する光源部と、前記媒体からの反射光を受光する受光部と、を有し、前記特定画像を読み取る第２の読取部材、
を備えたことを特徴とする。
【０００９】
請求項５に記載の発明は、請求項４に記載の画像読取装置において、
前記記録部材よりも媒体の搬送方向の上流側に配置され、読取対象の画像が記録された媒体に記録された前記特定画像を読み取る前記第２の読取部材と、
前記第２の読取部材の読取結果に基づいて、前記媒体に対する前記特定画像の位置を検出する位置検出手段と、
前記位置検出手段で検出された前記特定画像の位置に基づいて、前記特定画像の位置に対してずれた位置に、特定画像を記録する前記記録部材と、
を備えたことを特徴とする。
【００１０】
前記技術的課題を解決するために、請求項６に記載の発明の画像形成装置は、
表面に画像が記録された媒体の画像を読み取る請求項１ないし５のいずれかに記載の画像読取装置と、
前記画像読取装置で読み取られた画像を媒体に記録する画像記録装置と、
を備えたことを特徴とする。
【発明の効果】
【００１１】
請求項１、６に記載の発明によれば、可視の特定画像を使用する場合に比べて、媒体を汚すことなく読取済みであることを特定する画像を媒体に付与することができる。
請求項２に記載の発明によれば、読取対象の画像を汚すことなく特定画像を付すことができる。
請求項３に記載の発明によれば、透明な現像剤を使用して不可視の特定画像を記録することができる。
【００１２】
請求項４に記載の発明によれば、赤外線を照射して不可視の特定画像を読み取ることができる。
請求項５に記載の発明によれば、特定画像が重なること無く付与することができ、複数の特定画像を読み取ることで履歴を取得することができる。
【図面の簡単な説明】
【００１３】
【図１】図１は本発明の実施例１の画像形成装置の斜視図である。
【図２】図２は実施例１の画像形成装置の縦断面図である。
【図３】図３は実施例１の画像読取装置の要部説明図である。
【図４】図４は実施例１の第２の読取部材の要部説明図である。
【図５】図５は実施例１の制御部の要部説明図である。
【図６】図６は実施例１のマークの位置の説明図であり、図６Ａはマークの位置を検出する場合の説明図、図６Ｂは図６Ａに示す状態の原稿に対して新たなマークが記録された場合の説明図である。
【図７】図７は実施例１の特定画像の読取・記録処理のフローチャートである。
【発明を実施するための形態】
【００１４】
次に図面を参照しながら、本発明の実施の形態の具体例である実施例を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１５】
図１は本発明の実施例１の画像形成装置の斜視図である。
図２は実施例１の画像形成装置の縦断面図である。
図１において、本発明の実施例１の画像形成装置の一例としてのデジタル式の複写機Ｕは、画像記録装置の一例として、下部に配置されたプリンタ部Ｕ１と、画像読取装置の一例として、プリンタ部Ｕ１の上部に配置されたスキャナ部Ｕ２と、を有する。
図１、図２において、前記スキャナ部Ｕ２は、読取装置本体の一例として、上面に透明な原稿台の一例としてのプラテンガラスＰＧを有するスキャナ本体Ｕ２ａと、スキャナ本体Ｕ２ａの上面に支持された原稿搬送装置Ｕ２ｂとを有する。前記スキャナ本体Ｕ２ａの前端部には、操作部の一例としてのユーザインタフェースＵＩが支持されている。なお、前記原稿搬送装置Ｕ２ｂは、プラテンガラスＰＧ上面に着脱可能且つ図示しない回転軸を中心として上方に回転可能、すなわち、プラテンガラスＰＧとの間の空間を開閉可能に装着されている。
【００１６】
図２において、前記原稿搬送装置Ｕ２ｂは、読取対象の画像が表面に記録された媒体の一例としての複写しようとする原稿Ｇｉが収容される原稿供給部の一例としての原稿給紙トレイＴＧ1を有する。
前記原稿給紙トレイＴＧ１に収容された複数の各原稿Ｇｉは、原稿送出部材の一例としての原稿ピックアップロールＲｇ１により取り出され、原稿分離部材の一例としての原稿捌きロールＲｇ２に搬送される。原稿捌きロールＲｇ２は、複数枚の原稿が搬送されてきた場合には１枚づつ分離して、搬送路の一例としての原稿搬送路ＳＨ０を搬送されて、原稿捌きロールＲｇ２の下流側に配置された原稿搬送部材の一例としての原稿搬送ロールＲｇ３に搬送される。
【００１７】
原稿搬送ロールＲｇ３により下流側に搬送された原稿Ｇｉは、時期調整部材の一例としての原稿レジロールＲｇ４により一旦停止してから、予め設定された時期に前記プラテンガラスＰＧ上に設定された読取位置の一例としての原稿読込位置ＰＧ１に搬送される。
前記原稿読込位置ＰＧ１を通過した原稿Ｇｉは、原稿搬送部材の一例としての原稿搬送ローラＲｇ５により、原稿排出部材の一例としての原稿排出ローラＲｇ６に搬送される。原稿Ｇｉの片面のみが読み取られる場合や両面読取の設定で両面の読取が終了した場合には、原稿Ｇｉは、原稿排出ローラＲｇ６により、原稿排出部の一例としての原稿排紙トレイＴＧ２に排出される。両面読取の設定で一面目の読取が終了した原稿Ｇｉは、原稿搬送ローラＲｇ５と原稿排出ローラＲｇ６との間から分岐された原稿反転路ＧＨに搬送される。
【００１８】
原稿反転路ＧＨは、原稿搬送ロールＲｇ３の上流側で原稿搬送路ＳＨ０と合流するように配置されており、分岐部には、切替部材の一例としてのゲートＧＨ１が配置されている。前記ゲートＧＨ１は、弾性変形可能な薄膜状のフィルムにより構成されており、原稿排出ローラＲｇ６側からの原稿Ｇｉを原稿反転路ＧＨ側に案内すると共に、原稿搬送ローラＲｇ５から原稿排出ローラＲｇ６に搬送される原稿Ｇｉは、ゲートＧＨ１を弾性変形させながら通過するように構成されている。
したがって、一面目の画像読取が終了した原稿Ｇｉが、原稿搬送ローラＲｇ５および原稿排出ローラＲｇ６で搬送されて搬送方向後端がゲートＧＨ１を通過すると、原稿排出ローラＲｇ６が逆回転して、原稿Ｇｉの搬送方向が逆転して搬送、いわゆるスイッチバックされて、原稿反転路ＧＨに搬送される。原稿反転路ＧＨを搬送された原稿Ｇｉは、原稿レジロールＲｇ４に再送され、原稿読取位置ＰＧ１に再送される。
【００１９】
前記スキャナ部Ｕ２ａの内部には、露光系基準位置の一例としてのプラテンレジ位置に配置された検出部材の一例としての露光系レジセンサＳｐと、露光光学系Ａとが配置されている。
前記露光光学系Ａは、左右方向に移動可能に支持されており、その移動および停止が露光系レジセンサＳｐの検出信号により制御され、常時は前記露光系レジセンサによって検出される初期位置の一例としてのホーム位置に停止している。
実施例１の自動原稿搬送装置Ｕ２ｂを使用して複写を行う自動複写動作の場合は、露光光学系Ａはホーム位置に停止した状態で、プラテンガラスＰＧ上に設定された原稿読込位置ＰＧ１を順次通過する各原稿Ｇｉを露光する。
【００２０】
原稿Ｇｉを作業者が手でプラテンガラスＰＧ上に置いて複写を行う手動複写動作の場合、露光光学系Ａは右方に移動、すなわち、スキャンしながらプラテンガラスＰＧ上の原稿を露光走査する。
露光された前記原稿Ｇｉからの反射光は、前記露光光学系Ａを介して撮像素子の一例としての受像部ＣＣＤ上に収束される。前記受像部ＣＣＤは、その撮像面上に収束された原稿からの反射光を電気信号に変換する。
【００２１】
受像部ＣＣＤからの信号は、画像処理部ＧＳに入力され、画像処理部ＧＳは、受像部ＣＣＤから入力された読込画像信号を読込画像情報の一例としてのデジタル画像データに変換して読込画像を作成、一時記憶し、デジタル画像データをプリンタ部Ｕ２ｂの書込駆動回路の一例としてのレーザ駆動回路ＤＬに出力する。
前記レーザ駆動回路ＤＬは、入力されたデジタル画像データに応じたレーザ駆動信号を潜像書込装置ＲＯＳに出力する。前記画像処理部ＧＳ、前記レーザ駆動回路ＤＬ、電源回路Ｅ等は、制御部の一例としてのコントローラＣにより作動を制御される。
【００２２】
前記潜像書込装置ＲＯＳの下方には、像保持体の一例として、矢印Ｙｐ方向に回転する感光体ドラムＰＲが配置されている。前記感光体ドラムＰＲ表面は、帯電領域Ｑ０において帯電部材の一例としての帯電ロールＣＲにより帯電された後、潜像書込位置Ｑ１において潜像書込装置ＲＯＳの潜像書込み光の一例としてのレーザビームＬにより露光走査されて静電潜像が形成される。
前記静電潜像が形成された感光体ドラムＰＲ表面は回転移動して現像領域Ｑ２、画像記録位置の一例としての転写領域Ｑ４を順次通過する。
【００２３】
前記現像領域Ｑ２において、静電潜像を可視像に現像する現像器Ｄは、現像部材の一例としての現像ロールＲ０を有し、現像剤を現像ロールＲ０により現像領域Ｑ２に搬送し、前記現像領域Ｑ２を通過する感光体ドラムＰＲ表面の静電潜像を可視像の一例としてのトナー像Ｔｎに現像する。
前記転写領域Ｑ４において、感光体ドラムＰＲに対向する転写部材の一例としての転写ロールＴＲは、感光体ドラムＰＲ表面のトナー像Ｔｎを媒体の一例としてのシートＳに転写する転写電圧が電源回路Ｅから供給される。前記帯電ロールＣＲに印加する帯電電圧や、現像ロールＲ０に印加する現像電圧、転写ロールＴＲに印加する転写電圧、後述の定着装置Ｆの加熱ロールのヒータを加熱する電力を供給する電源回路Ｅは前記コントローラＣにより制御される。
【００２４】
複写機本体Ｕ１の下部には、媒体供給部の一例としての第１の給紙トレイＴＲ１および第２の給紙トレイＴＲ２が上下に並んで配置されている。
前記各給紙トレイＴＲ１，ＴＲ２の左上端部には、取り出し部材の一例としてのピックアップロールＲｐが配置されており、ピックアップロールＲｐにより取り出されたシートＳは、給紙トレイＴＲ１，ＴＲ２の左側部分では上下に延び、給紙トレイＴＲ１の上側部分では水平に延びる媒体の搬送路の一例としての給紙路ＳＨ１に搬送される。
【００２５】
給紙路ＳＨ１の上下に延びる部分である給紙トレイＴＲ１，ＴＲ２の左側部分には、捌き部材の一例としての捌きロールＲｓが配置されている。捌きロールＲｓは、シートＳを搬送する搬送部材の一例としてのフィードロールＲｓ1と、シートＳを停止させて分離する分離部材の一例としてのリタードロールＲｓ2とを有する。ピックアップロールＲｐにより捌きロールＲｓにシートＳが複数枚重なって搬送された場合、フィードロールＲｓ１が接触するシートＳを下流側に送ると共に、リタードロールＲｓ２が重なったシートＳを停止させることで１枚づつ分離されて、給紙路ＳＨ１に搬送される。給紙路ＳＨ１の上下に延びる部分の上端部には、正逆回転可能な搬送部材の一例としての搬送ロールＲｂが配置されている。給紙路ＳＨ１に搬送された前記シートＳは正逆転回転可能な搬送ロールＲｂの正回転により上方に搬送され、後述する反転接続路ＳＨ５との分岐路に配置された切替部材の一例としての第１のゲートＧＴ１により、給紙路ＳＨ１の水平に延びる部分である第１の給紙トレイＴＲ１の上側部分を通って、媒体の搬送路の一例としての上流側の搬送路ＳＨ２に搬送される。
【００２６】
上流側の搬送路ＳＨ２に搬送されたシートＳは、媒体の搬送部材の一例としての搬送ロールＲａにより、時期調整部材の一例としてのレジロールＲｒに搬送される。前記レジロールＲｒに搬送されたシートＳは、感光体ドラムＰＲ表面のトナー像Ｔｎが転写領域Ｑ４に移動する時期に合わせて、案内部材の一例としての転写前のシートガイドＳＧ1から転写領域Ｑ４に搬送される。
前記感光体ドラムＰＲ表面のトナー像Ｔｎは、前記転写領域Ｑ４において、転写ロールＴＲによりシートＳに転写される。転写された後の感光体ドラムＰＲ表面は、清掃器の一例としての感光体クリーナＣＬ1によりクリーニングされて残留トナーが除去され、除電部材の一例としての感光体除電器ＪＬにより除電されてから、前記帯電ロールＣＲにより再帯電される。
前記感光体ドラムＰＲ、帯電ロールＣＲ、潜像書込装置ＲＯＳ、現像装置Ｄ、転写ロールＴＲ、感光体クリーナＣＬ1、感光体除電器ＪＬ等により画像記録部材ＰＲ＋ＣＲ＋ＲＯＳ＋Ｄ＋ＴＲ＋ＣＬ1＋ＪＬが構成されている。
【００２７】
前記転写領域Ｑ４に対してシートＳの搬送方向の下流側には、転写領域Ｑ４でトナー像が転写されたシートＳが搬送される搬送路の一例としての下流側の搬送路ＳＨ３が設けられている。前記下流側の搬送路ＳＨ３には、案内部材の一例としてのシートガイドＳＧ2や、媒体の搬送部材の一例としての搬送ベルトＢＨ、定着装置Ｆが配置されている。
前記転写領域Ｑ４において転写ロールＴＲによりトナー像が転写された前記シートＳは、感光体ドラムＰＲの表面から剥離され、下流側の搬送路ＳＨ３のシートガイドＳＧ2や搬送ベルトＢＨにより定着装置Ｆに搬送される。
【００２８】
前記定着装置Ｆは、互いに接触して回転する加熱定着部材の一例としての加熱ロールＦｈおよび加圧定着部材の一例としての加圧ロールＦｐとを有しており、それらの接触領域により定着領域Ｑ５が形成されている。前記定着装置Ｆの加熱ロールＦｈ内部には、図示しない発熱体の一例としてのヒータが内蔵されており、定着装置Ｆは定着領域Ｑ５を通過するシートＳ上の未定着トナー像を加熱定着する。
トナー像が加熱定着されたシートＳは、媒体の搬送路の一例としての排出路ＳＨ４を通って、媒体排出部の一例としての排紙トレイＴＲｈに搬送される。
【００２９】
前記排出路ＳＨ４には、定着装置Ｆの下流側に搬送路の切替部材の一例としての第２のゲートＧＴ２が配置されている。第２のゲートＧＴ２は、前記定着装置Ｆを通過したシートＳの搬送方向を排紙トレイＴＲｈ側または反転接続路ＳＨ５のいずれかの方向に切り替える。反転接続路ＳＨ５は、排出路ＳＨ４の定着装置Ｆの下流側部分と前記給紙路ＳＨ１とを接続する。定着装置Ｆを通過して１面目のトナー像が定着されたシートＳは、反転接続路ＳＨ５に搬送された場合、反転接続路ＳＨ５と給紙路ＳＨ１との接続部に配置された第１のゲートＧＴ１を下方に通過して搬送ロールＲｂの逆回転により前記給紙路ＳＨ１を下方に搬送される。前記シートＳの後端が第１のゲートＧＴ１を通過すると、搬送ロールＲｂが正回転することにより、搬送方向が逆転し、いわゆるスイッチバックされて上方にシートＳが搬送される。前記スイッチバックして上方に搬送されたシートＳは、第１のゲートＧＴ１により、給紙路ＳＨ１および上流側の搬送路ＳＨ２を順次搬送されて前記レジロールＲｒに再送され、前記転写領域Ｑ４を通過する際に２面目に画像が転写される。
【００３０】
（画像読取装置の説明）
図３は実施例１の画像読取装置の要部説明図である。
図４は実施例１の第２の読取部材の要部説明図である。
図２、図３において、実施例１のスキャナＵ１では、原稿搬送路ＳＨ０の原稿読込位置ＰＧ１の下流側には、第２の読取部材の一例として、赤外線スキャナ１が配置されている。
図４において、実施例１の赤外線スキャナ１は、原稿搬送路ＳＨ０を搬送される原稿Ｇｉに対して赤外線を照射する光源部の一例としての複数の赤外光源２と、原稿Ｇｉから反射した赤外光を受光する受光部３とを有する。実施例１の赤外光源２は、赤外光を照射可能な従来公知の光源を採用可能であり、例えば、ＩＲ−ＬＥＤ：ＩｎｆｒａＲｅｄ  Ｌｉｇｈｔ  Ｅｍｉｓｓｉｏｎ  Ｄｉｏｄｅを使用することが可能である。
【００３１】
また、実施例１の受光部３は、反射光に含まれる赤外領域の予め設定された波長領域を透過させる波長選択部材の一例としての赤外フィルタ３ａと、赤外フィルタ３ａを透過した赤外光を集光する集光部材の一例としてのレンズ３ｂと、レンズ３ｂで集光された赤外光を受光する受光部本体の一例としてセンサ３ｃとを有する。なお、前記センサ３ｃとしては、赤外光を受光して識別可能な従来公知の任意の受光素子を採用可能であり、例えば、赤外光に感度を持つＣ−ＭＯＳセンサを使用可能である。
したがって、原稿搬送路ＳＨ０を搬送される原稿Ｇｉが、赤外線スキャナ１の位置を通過する際に、原稿Ｇｉ表面に赤外線を吸収または反射する材料が存在すれば、赤外線を吸収または反射する材料が存在しない部分に比べて、暗いまたは明るい画像となって受光部３で撮像される。なお、実施例１では、赤外線スキャナ１は、搬送される原稿Ｇｉの幅方向の中央部に配置されている。
【００３２】
図３において、赤外線スキャナ１よりも下流側であって、原稿反転路ＧＨとの分岐部の下流側且つ原稿排出ロールＲｇ６の上流側には、記録部材の一例としてのスタンパー６が配置されている。実施例１のスタンパー６は、例えば、従来公知のインクジェット記録ヘッドを採用可能であり、任意の構成を採用可能であるため、詳細な説明は省略する。なお、実施例１では、スタンパー６は、低費用化および構成の簡素化のために、原稿Ｇｉの幅方向、いわゆる主走査方向に移動不能な構成となっており、赤外線スキャナ１に対応して、幅方向の中央部に配置されている。
また、実施例１のスタンパー６では、インクジェット記録ヘッドから吐出されて人間の目では識別が困難な不可視の特定画像の一例としてのマークが記録される。実施例１の不可視のマークは、不可視のインクを使用して印刷されており、不可視のインクの一例として赤外線を吸収する材料を含む現像剤の一例としての無色透明のインクを使用している。
【００３３】
なお、このような赤外線を吸収する無色透明のインクとして、例えば、ステルスインク等のインクを採用可能であり、従来公知であるため、詳細な説明は省略する。また、不可視のインクとしては、無色透明であることが望ましいが、蛍光イエロー等、人間の目では識別が困難な従来公知の不可視のインクを使用することが可能である。
また、実施例１では、赤外線を吸収する材料を使用したが、これに限定されず、赤外線を反射する材料、例えば、カーボンブラックを含むインクを使用し、人間の目では識別困難であり且つスキャナで読取可能な程度の極小の点、例えば０．０５ｍｍ程度のドットにより構成されて、ドットどうしの間隔を十分にあけて人間の目では識別不能な模様により構成されたマークを特定画像として採用することも可能である。このようなマークは、いわゆる「見えないバーコード」や「ステルスドット」として、従来公知であるため、説明の簡単のため、詳細な説明は省略する。
すなわち、本願明細書および特許請求の範囲において、「不可視」とは、人間の目では識別不可能または識別困難であって、赤外線スキャナ１等の読取部材では読取、識別が可能な状態を指すものとする。
【００３４】
（制御部Ｃの説明）
図５は実施例１の制御部の要部説明図である。
図５において、前記制御部Ｃは、外部との信号の入出力および入出力信号レベルの調節等を行う入出力インターフェース：Ｉ／Ｏ、必要な処理を行うためのプログラムおよび情報等が記憶されたリードオンリーメモリ：ＲＯＭ、必要なデータを一時的に記憶するためのランダムアクセスメモリ：ＲＡＭ、前記ＲＯＭに記憶されたプログラムに応じた処理を行う中央演算処理装置：ＣＰＵ、ならびに発振器等を有する小型情報処理装置、いわゆるマイクロコンピュータにより構成されており、前記ＲＯＭに記憶されたプログラムを実行することにより種々の機能を実現することができる。
【００３５】
（制御部Ｃに接続された信号入力要素）
制御部Ｃには、次の信号出力要素ＵＩ、赤外線スキャナ１等の出力信号が入力されている。
ＵＩ：操作部
操作部ＵＩは、表示部ＵＩ１、複写開始入力部の一例としてのコピースタートキーＵＩ２、読取設定の入力部の一例としての読取設定キーＵＩ３、読取情報の表示用の入力部の一例としてのマーク表示キーＵＩ４等を備えている。
１：赤外線スキャナ
赤外線スキャナ１は、原稿搬送路ＳＨ０を搬送される原稿Ｇｉに付されたマークを読み取る。
【００３６】
（制御部Ｃに接続された被制御要素）
制御部Ｃは、次の被制御要素の制御信号を出力している。
ＤＬ：レーザ駆動回路
レーザ駆動回路ＤＬは、潜像形成装置ＲＯＳを駆動して感光体ＰＲ表面に静電潜像を形成する。
Ｄ０：メインモータの駆動回路
主駆動源の駆動回路の一例としてのメインモータの駆動回路Ｄ０は、メインモータＭ０を駆動することにより図示しないギヤを介して感光体ＰＲおよび現像器Ｄの現像ローラＲ０、加熱ローラＦｈ、搬送ローラＲａ、レジロールＲｒ等を回転駆動する。
【００３７】
Ｅ：電源回路
電源回路Ｅは次の電源回路を有している。
Ｅ１：現像電源回路
現像電源回路Ｅ１は、現像器Ｄの現像ローラＲ０に現像電圧を印加する。
Ｅ２：帯電電源回路
帯電電源回路Ｅ２は、帯電器ＣＲに帯電電圧を印加する。
Ｅ３：転写電源回路
転写電源回路Ｅ３は、転写ローラＴＲに転写電圧を印加する。
Ｅ４：定着電源回路
定着電源回路Ｅ４は、加熱ローラＦｈのヒータに定着用の電力を供給する。
【００３８】
Ｄ１：スキャナの駆動回路
画像読取装置の駆動回路の一例としてのスキャナの駆動回路Ｄ１は、スキャナＵ１の自動原稿搬送装置Ｕ２ｂや露光光学系Ａ、受像部ＣＣＤ等を駆動させる。
Ｄ２：マーク記録の駆動回路
特定画像の記録用の駆動回路の一例としてのマーク記録の駆動回路Ｄ２は、スタンパー６を駆動して、原稿Ｇｉにマークを記録する。
【００３９】
（前記コントローラＣの機能）
前記コントローラＣは、前記各信号出力要素からの出力信号に応じた処理を実行して、前記各制御要素に制御信号を出力する機能を実現するプログラムである機能実現手段を有している。前記コントローラＣの各種機能を実現する機能実現手段を次に説明する。
Ｃ１：メインモータの回転制御手段
主駆動源の制御手段の一例としてのメインモータの回転制御手段Ｃ１は、前記メインモータの駆動回路Ｄ０を制御して、感光体ＰＲ、現像器Ｄの現像ローラＲ０、定着装置Ｆ等の回転を制御する。
【００４０】
Ｃ２：電源回路制御手段
電源回路制御手段Ｃ２は、次の手段Ｃ２ａ〜Ｃ２ｄを有しており、前記電源回路Ｅを制御して、前記現像電圧、帯電電圧、転写電圧、加熱ローラＦｈのヒータのオン・オフ等を制御する。
Ｃ２ａ：現像電圧制御手段
現像電圧制御手段Ｃ２ａは、前記現像電源回路Ｅ１の動作を制御して現像器Ｄの現像ローラＲ０に印加する現像電圧を制御する。
Ｃ２ｂ：帯電電圧制御手段
帯電電圧制御手段Ｃ２ｂは、前記帯電電源回路Ｅ２の動作を制御して各帯電器ＣＲに印加する帯電電圧を制御する。
【００４１】
Ｃ２ｃ：転写電圧制御手段
転写電圧制御手段Ｃ２ｃは、転写電源回路Ｅ３の動作を制御して転写ローラＴＲに印加する転写電圧を制御する。
Ｃ２ｄ：定着電源制御手段
定着電源制御手段Ｃ２ｄは定着電源回路Ｅ４の動作を制御して、前記加熱ローラＦｈのヒータをオン・オフ制御して、定着温度を制御する。
Ｃ３：ジョブ制御手段
画像形成動作の制御手段の一例としてのジョブ制御手段Ｃ３は、コピースタートキーＵＩ２や端末ＰＣからの入力に応じて、潜像形成装置ＲＯＳ、感光体ＰＲｙ〜ＰＲｋ、転写ローラＴ１ｙ〜Ｔ１ｋ，Ｔ２、定着装置Ｆ等の動作を制御して、画像形成動作であるジョブを実行する。
【００４２】
Ｃ４：スキャナ制御手段
読取装置の制御手段の一例としてのスキャナ制御手段Ｃ４は、読取設定の記憶手段Ｃ４Ａと、搬送制御手段Ｃ４Ｂと、画像読取手段Ｃ４Ｃとを有し、スキャナＵ２の動作を制御して、原稿Ｇｉの画像を読み取る。
Ｃ４Ａ：読取設定の記憶手段
読取設定の記憶手段Ｃ４Ａは、操作部ＵＩの読取設定キーＵＩ３からの入力に基づいて、原稿Ｇｉを読み取る際の読取設定、すなわち、片面のみの読取か両面の読取かの設定を記憶する。なお、実施例１の読取設定の記憶手段Ｃ４Ａでは、読取設定の初期値として片面読取を記憶している。
【００４３】
Ｃ４Ｂ：搬送制御手段
搬送制御手段Ｃ４Ｂは、スキャナＵ２の各ローラＲｇ１〜Ｒｇ６の回転を制御して、原稿Ｇｉの搬送を制御する。実施例１の搬送制御手段Ｃ４Ｂは、コピースタートキーＵＩ２の入力に基づいて、各ローラＲｇ１〜Ｒｇ６の駆動を制御する。
Ｃ４Ｃ：画像読取手段
画像読取手段Ｃ４Ｃは、露光光学系Ａや受像部ＣＣＤを制御して、原稿Ｇｉの画像を読み取る。すなわち、プラテンガラスＰＧ上に原稿Ｇｉが置かれている場合には、露光光学系Ａをスキャンして原稿Ｇｉの画像を読み取り、原稿給紙トレイＴＧ１に原稿Ｇｉが積載されている場合には、画像読込位置ＰＧ１を通過する原稿Ｇｉの画像を読み取る。
【００４４】
Ｃ５：マーク読取の制御手段
読取制御手段の一例としてのマーク読取の制御手段Ｃ５は、読取位置の通過判別手段Ｃ５Ａと、後端通過の判別時間の記憶手段Ｃ５Ｂと、後端通過の判別時間の計時手段Ｃ５Ｃと、マーク位置の判別時間の計時手段Ｃ５Ｄと、マーク位置の判別手段Ｃ５Ｅと、マークの識別手段Ｃ５Ｆと、を有し、赤外線スキャナ１を制御して、マークの読み取りを行う。
Ｃ５Ａ：読取位置の通過判別手段
読取位置の通過判別手段Ｃ５Ａは、原稿Ｇｉの搬送方向前端および後端が、原稿読込位置ＰＧ１を通過したか否かを判別する。実施例１の読取位置の通過判別手段Ｃ５Ａは、原稿搬送装置Ｕ２ｂで搬送される原稿Ｇｉを受像部ＣＣＤで読み取る場合に、画像読取手段Ｃ４Ｃが原稿Ｇｉの搬送方向の前端または後端を読み取った場合に、原稿読込位置ＰＧ１を前端または後端が通過したものと判別する。
【００４５】
Ｃ５Ｂ：後端通過の判別時間の記憶手段
後端通過の判別時間の記憶手段Ｃ５Ｂは、原稿Ｇｉの搬送方向の一端である後端が、赤外線スキャナ１が配置されたマーク読取位置を通過したか否かを判別するための後端通過の判別時間ｔ２を記憶する。実施例１の後端通過の判別時間ｔ１は、原稿読込位置ＰＧ１からマーク読取位置までの距離と、予め設定された原稿搬送速度とに基づいて、実験等により予め設定されている。
Ｃ５Ｃ：後端通過の判別時間の計時手段
第１の計時手段の一例としての後端通過の判別時間の計時手段Ｃ５Ｃは、後端通過の判別時間ｔ２の計時を行う。実施例１の後端通過の判別時間の計時手段Ｃ５Ｃは、原稿Ｇｉの後端が原稿読込位置ＰＧ１を通過すると、後端通過の判別時間ｔ２の計時が開始される。
【００４６】
Ｃ５Ｄ：マーク位置の判別時間の計時手段
第２の計時手段の一例としてのマーク位置の判別時間の計時手段Ｃ５Ｄは、原稿Ｇｉに対するマークの位置を判別するための時間であるマーク位置の判別時間ｔ１を計時する。実施例１のマーク位置の判別時間の計時手段Ｃ５Ｄは、原稿Ｇｉの前端が原稿読込位置ＰＧ１を通過すると計時を開始する。
Ｃ５Ｅ：マーク位置の判別手段
位置検出手段の一例としてのマーク位置の判別手段Ｃ５Ｅは、赤外線スキャナ１がマークを読み取った場合に、マーク位置の判別時間の計時手段Ｃ５Ｄが計測したマーク位置の判別時間ｔ１に基づいて、原稿Ｇｉに対するマークの位置を判別する。実施例１のマーク位置の判別手段Ｃ５Ｅは、マーク位置の判別時間ｔ１と、原稿読込位置ＰＧ１からマーク読取位置までの距離と、予め設定された原稿搬送速度と、に基づいて、マークの位置を判別する。
【００４７】
図６は実施例１のマークの位置の説明図であり、図６Ａはマークの位置を検出する場合の説明図、図６Ｂは図６Ａに示す状態の原稿に対して新たなマークが記録された場合の説明図である。
図６Ａにおいて、実施例１のマーク位置の判別手段Ｃ５Ｅは、図３に示すように原稿読込位置ＰＧ１からマーク読取位置までの距離をＬ１とし、原稿搬送速度をＶ１とした場合、マーク１１の位置の一例として、原稿Ｇｉの前端からの距離Ｌａ＝（ｔ１−Ｌ１／Ｖ１）×Ｖ１＝ｔ１×Ｖ１−Ｌ１を演算することで、マーク１１の位置を判別する。
なお、図６Ａに示すように、実施例１では、マーク１１は、原稿Ｇｉの搬送方向の後端側から付され、前端側ほど時系列的には新しいマーク１１が付されるようになっており、複数のマーク１１ａ〜１１ｃが付されている場合には、前端に最も近いマーク１１ｃの位置をマーク１１の位置として演算する。よって、図６Ａにおいて、実施例１では、最新のマーク１１ｃまでの距離Ｌａを、マーク１１の位置として判別する。
【００４８】
Ｃ５Ｆ：マークの識別手段
特定画像の識別手段の一例としてのマークの識別手段Ｃ５Ｆは、赤外線スキャナ１が読み取ったマーク１１を識別する。実施例１のマークの識別手段Ｃ５Ｆは、読み取ったマーク１１の内容を識別する。なお、実施例１では、マーク１１は、読取情報の一例として、読取が行われた日時と、読み取られた回数と、両面読取の場合は「表」または「裏」の文字と、を含む読取が終了したことを特定する読取情報により構成されている。したがって、実施例１のマークの識別手段Ｃ５Ｆは、読み取ったマーク１１に含まれる読取情報の識別、すなわち、日時や回数、表裏の情報を取得する。なお、読み取ったマーク１１の情報の識別は、従来公知の画像解析技術を採用可能であるため、詳細な説明は省略する。
【００４９】
Ｃ６：マーク記録の制御手段
特定画像の記録制御手段の一例としてのマーク記録の制御手段Ｃ６は、マークの作成手段Ｃ６Ａと、マーク位置の設定手段Ｃ６Ｂとを有し、マーク記録の駆動回路Ｄ２を介してスタンパー６を制御して、読取がされた原稿Ｇｉへマーク１１を記録する。
Ｃ６Ａ：マークの作成手段
特定画像の作成手段の一例としてのマークの作成手段Ｃ６Ａは、読取終わった原稿Ｇｉへ記録されるマーク１１を作成する。実施例１のマークの作成手段Ｃ６Ａは、読取がされた日時の情報と、マークの識別手段Ｃ５Ｆで識別された回数に１加算した回数の情報と、両面読取の場合には一面目である場合には「表」二面目である場合には「裏」の情報と、を含む読取情報により構成されたマーク１１を作成する。なお、実施例１のマークの作成手段Ｃ６Ａは、情報を暗号化せず、赤外線スキャナ１で読み取った画像を画像解析可能な状態のマーク１１を作成する。
【００５０】
Ｃ６Ｂ：マーク位置の設定手段
特定画像の位置設定手段の一例としてのマーク位置の設定手段Ｃ６Ｂは、読取終わった原稿Ｇｉに記録されるマーク１１の記録位置を設定する。実施例１のマーク位置の設定手段Ｃ６Ｂは、図６Ｂに示すように、マーク位置の判別手段Ｃ５Ｅにより既に記録されているマーク１１ａ〜１１ｃが存在する場合には、マーク１１ａ〜１１ｃと重複しないように搬送方向にずれた位置を、新たなマーク１１ｄを記録する位置として設定する。具体的には、マーク１１の搬送方向の間隔をＬｂとした場合、マーク１１を付す位置を、Ｌａ−Ｌｂの位置を搬送方向の前端の基準として設定する。なお、実施例１では、不可視のマーク１１を使用しており、原稿画像１３に影響を与えないため、原稿画像１３の内部の重複する位置に、マーク１１ｄを記録する位置を設定可能になっている。さらに、実施例１のマーク位置の設定手段Ｃ６Ｂは、読み取られた原稿Ｇｉにマーク１１が存在しない場合には、原稿Ｇｉの搬送方向に対して後端の位置を、新たなマーク１１を記録する位置として設定する。
【００５１】
Ｃ７：マークの表示手段
読取情報の表示手段の一例としてのマークの表示手段Ｃ７は、読取情報の記憶手段の一例としてのマークの記憶手段Ｃ７Ａを有し、読取情報を表示部ＵＩ１に表示する。実施例１のマーク表示手段Ｃ７は、マーク表示キーＵＩ４の入力がされた場合に、マークの記憶手段Ｃ７Ａに記憶されたマーク１１の情報を表示部ＵＩ１に表示する。実施例１のマークの記憶手段Ｃ７Ａは、マークの識別手段Ｃ５Ｆで識別されたマーク１１の読取情報、すなわち、マーク１１の履歴の情報と、マーク記録の制御手段Ｃ６で記録されたマーク１１、すなわち、今回記録された最新のマーク１１の情報と、を含む読取情報を原稿Ｇｉ毎に記憶している。
【００５２】
（実施例１の流れ図の説明）
次に、本発明の実施例１の画像形成装置Ｕの処理の流れを流れ図、いわゆる、フローチャートを使用して説明する。なお、マーク表示キーＵＩ４の入力に応じてマークの記憶手段Ｃ７Ａに記憶された読取情報を表示部ＵＩ１に表示する処理については、説明の簡単化のため、図示および詳細な説明を省略する。
【００５３】
（特定画像の読取・記録処理の説明）
図７は実施例１の特定画像の読取・記録処理のフローチャートである。
図７のフローチャートの各ＳＴ：ステップの処理は、前記制御部ＣのＲＯＭに記憶されたプログラムに従って行われる。また、この処理は複写機Ｕの他の各種処理と並行してマルチタスクで実行される。
図７に示すフローチャートは電源オンにより開始される。
【００５４】
図７のＳＴ１において、原稿Ｇｉの読取の開始の入力がされたか否か、すなわち、コピースタートキーＵＩ２の入力がされたか否かを判別する。イエス（Ｙ）の場合はＳＴ２に進み、ノー（Ｎ）の場合はＳＴ１を繰り返す。
ＳＴ２において、原稿Ｇｉの前端が原稿読込位置ＰＧ１を通過したか否かを判別する。イエス（Ｙ）の場合はＳＴ３に進み、ノー（Ｎ）の場合はＳＴ２を繰り返す。
ＳＴ３において、次の処理（１）、（２）を実行し、ＳＴ４に進む。
（１）赤外線スキャナ１を作動させて、マーク１１の読取を開始する。
（２）マーク位置の判別時間ｔ１の計時を開始する。
【００５５】
ＳＴ４において、マーク１１を読み取ったか否かを判別する。ノー（Ｎ）の場合はＳＴ５に進み、イエス（Ｙ）の場合はＳＴ１０に進む。
ＳＴ５において、原稿Ｇｉの後端が原稿読込位置ＰＧ１を通過したか否かを判別する。イエス（Ｙ）の場合はＳＴ６に進み、ノー（Ｎ）の場合はＳＴ４に戻る。
ＳＴ６において、後端通過の判別時間ｔ２の計時を開始する。そして、ＳＴ７に進む。
ＳＴ７において、マーク１１を読み取ったか否かを判別する。ノー（Ｎ）の場合はＳＴ８に進み、イエス（Ｙ）の場合はＳＴ１０に進む。
ＳＴ８において、後端通過の判別時間ｔ２が経過したか否かを判別する。イエス（Ｙ）の場合はＳＴ９に進み、ノー（Ｎ）の場合はＳＴ７に戻る。
【００５６】
ＳＴ９において、スタンパー６により、原稿Ｇｉに対して１回目のマーク印刷位置に読取情報のマーク１１を印刷する。すなわち、原稿Ｇｉの後端に設定される１回目のマーク印刷位置がスタンパー６の位置を通過する際に、スタンパー６により１回目のマーク１１を記録する。そして、ＳＴ１３に進む。
ＳＴ１０において、次の処理（１）、（２）を実行して、ＳＴ１１に進む。
（１）計時されたマーク位置の判別時間ｔ１に基づいて、原稿Ｇｉにおけるマーク１１の位置を検出する。
（２）検出されたマーク１１を識別して、マーク１１の読取情報を取得する。
【００５７】
ＳＴ１１において、取得した読取情報とマーク１１の位置から、今回のマーク印刷位置を設定する。すなわち、読み取った最新のマーク１１に対して搬送方向にずれた位置をマーク印刷位置に設定する。そして、ＳＴ１２に進む。
ＳＴ１２において、設定されたマーク印刷位置に、マーク１１を印刷する。すなわち、搬送されている原稿Ｇｉのマーク印刷位置がスタンパー６の位置を通過する際に、スタンパー６により今回のマーク１１を記録する。そして、ＳＴ１３に進む。
ＳＴ１３において、読取が終了したか否か、すなわち、次に読み取る原稿Ｇｉが無くなったか否かを判別する。ノー（Ｎ）の場合はＳＴ２に戻り、イエス（Ｙ）の場合はＳＴ１に戻る。
【００５８】
（実施例１の作用）
前記構成を備えた実施例１の複写機Ｕでは、コピースタートキーＵＩ２の入力がされて原稿Ｇｉの読み取りが開始されると、原稿Ｇｉが原稿読込位置ＰＧ１に搬送され、スキャナＵ１の受像部ＣＣＤ等で原稿Ｇｉの原稿画像１３が読み取られる。そして、スタンパー６を通過する際に、原稿画像１３が読み取られた原稿Ｇｉに対して、不可視のマーク１１が記録される。すなわち、原稿Ｇｉが読み取られた日時や回数等を識別する読取情報が原稿Ｇｉに、不可視のマーク１１として付される。したがって、従来技術のように「済」のスタンプが押されて原稿Ｇｉが汚れる構成に比べて、実施例１では、原稿Ｇｉ自体が、人間の目から見て汚れることなく、読取回数等の情報が原稿Ｇｉに付される。
【００５９】
また、実施例１では、スタンパー６の上流側且つ原稿読込位置ＰＧの下流側において、原稿画像１３が読み取られた原稿Ｇｉにおいて、マーク１１が存在する場合には、赤外線スキャナ１でマーク１１が読み取られる。したがって、原稿Ｇｉの過去の読取の履歴が、今回の読取の情報と合わせて取得可能になっている。
そして、実施例１では、今回の読取情報のマーク１１が、既に付されているマーク１１に対して、原稿Ｇｉの搬送方向にずれた位置に付されており、マーク１１が重なる場合に比べて、マーク１１が重なって読取が困難になることが低減されている。
【００６０】
ここで、従来の技術のように可視のスタンプを押す技術では、スタンプが複数回押される場合には、同じ場所にスタンプを押すと今回のスタンプなのか過去のスタンプかが識別不能になる。よって、従来の技術では、複数回スタンプを押す場合には、スタンプを押す位置を異なる位置にする必要があるが、原稿画像１３を汚さないようにするためには、原稿画像１３の内部に付さず、余白部分に付す必要がある。したがって、原稿Ｇｉの搬送方向に交差する幅方向にスタンパーを移動させたり、スタンパーを幅方向に沿って複数個配置する等の必要があり、スタンパーの構成が複雑化したり、部品点数が増加する等して、費用が上昇する問題がある。これに対して、実施例１の構成では、不可視のマーク１１が使用されており、原稿画像１３の内部に重ねて付されても原稿画像１３は人間の目から見て汚れない。よって、従来の構成に比べて、複数のマーク１１を付すことが可能になりつつ、スタンパー６の構成が簡素化等され、費用の上昇が低減されている。
【００６１】
また、実施例１では、マーク１１の読取が赤外線スキャナ１で自動で行われて識別されており、マーク１１が付された回数が自動的に識別される。従来の可視のスタンプを付す構成では、読取前に、作業者が「済」のスタンプがいくつ付されているのか事前に確認しておく必要があったが、実施例１では、スタンプを事前に確認しておかなくても、自動的に回数が識別されると共に、表示部ＵＩ１に表示して確認することが可能になっている。
【００６２】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ09）を下記に例示する。
（Ｈ01）前記実施例において、画像形成装置の一例として複写機Ｕを例示したが、これに限定されず、例えば、ＦＡＸ、あるいは、これら複数の機能を備えた複合機とすることも可能である。また、カラーの画像形成装置に限定されず、モノクロの画像形成装置にも適用可能である。
さらに、画像形成装置に限定されず、画像読取装置、いわゆる単体のスキャナにも適用可能である。
【００６３】
（Ｈ02）前記実施例において、スタンパー６として、インクジェット方式の記録部材を例示したが、これに限定されず、不可視の特定画像を記録可能な任意の構成を採用可能であり、例えば、透明インクを採用した印鑑状のスタンプや、インクジェット以外の方式の記録部材を使用することも可能である。
（Ｈ03）前記実施例において、スタンパー６の位置を原稿排出ロールＲｇ６の上流側に配置したが、原稿読込位置ＰＧ１の下流側であれば任意の位置に配置可能であり、原稿排出ロールＲｇ６の下流側に配置することも可能である。同様に、赤外線スキャナ１もスタンパー６よりも上流側の任意の位置に配置可能であり、原稿読込位置ＰＧ１よりも上流側に配置することも可能である。なお、赤外線スキャナ１を受像部ＣＣＤの近傍に配置して、原稿読込位置ＰＧ１でマーク１１を読み取るように構成することも可能である。
【００６４】
（Ｈ04）前記実施例において、マーク１１として記録される読取情報としては、実施例に例示した日時や回数等の情報に限定されず、設計や仕様等に応じて、任意に情報を増減することが可能である。
（Ｈ05）前記実施例において、特定画像の一例としてのマーク１１として、画像解析で読込可能な形式としたが、これに限定されず、例えば、バーコードや２次元コード等の予め設定された方式で暗号化、コード化した特定画像を採用し、原稿Ｇｉに付すことも可能である。特に、透明の現像剤ではなくステルスドットを採用する場合には、ステルスドットとなるように暗号化された特定画像を採用する必要がある。
【００６５】
（Ｈ06）前記実施例において、スタンパー６は原稿Ｇｉの幅方向に移動不能な構成とすることが、費用の抑制の観点から好ましいが、移動可能として、原稿の搬送方向および幅方向の任意の位置にマーク１１を付すことを可能とする構成とすることも可能である。
（Ｈ07）前記実施例において、赤外線を吸収する材料を含む現像剤を例示したが、これに限定されず、例えば、紫外線を反射する材料を含む現像剤を使用し、紫外光、いわゆるブラックライトを照射して特定画像を読み取る構成とすることも可能である。
（Ｈ08）前記実施例において、原稿Ｇｉの位置の検出は、原稿読込位置ＰＧ１での検出に基づいて行ったが、これに限定されず、原稿Ｇｉの位置を検出するためのセンサを別個に設けることも可能である。このとき、両面読取が可能なスキャナＵ２の場合では、ゲートＧＨ１に対応して配置すると、スタンパー６間での距離が近く、マーク１１のスタンプ位置の精度がより高くなると共に、スイッチバックを行う時期の検出の精度も向上する。
【００６６】
（Ｈ09）前記実施例において、原稿Ｇｉの両面読取を実行する場合に、片面読取完了毎にマーク１１を記録する構成を例示したが、この構成に限定されず、例えば、スキャナの搬送路において、原稿Ｇｉの一面側と他面側にそれぞれ画像を読み取る読取部材を配置して、スイッチバックさせずに原稿Ｇｉの両面を読み取るスキャナに適用する場合には、スタンパー６を一面側と他面側の両方に配置することも可能である。なお、これに対応して、赤外線スキャナ１も両面に配置することが可能である。
他にも、一面目の読取完了時にはマーク１１の記録を行わず、２面目の読取が完了した場合にマーク１１の記録を行う構成とすることも可能である。この場合、両面を読み取ったことを特定する情報を１つのマーク１１として記録することも可能であり、一面目および二面目のそれぞれの情報に関して、２つのマーク１１をずらして連続して記録する構成とすることも可能である。
【符号の説明】
【００６７】
１…第２の読取部材、
２…光源部、
３…受光部、
６…記録部材、
１１…特定画像、
１３…読取対象の画像、
Ｃ５Ｅ…位置検出手段、
ＣＣＤ…読取部材、
Ｇｉ…媒体、
ＰＧ１…読取位置、
ＳＨ０…搬送路、
Ｕ…画像形成装置、
Ｕ１…画像読取装置、
Ｕ２…画像記録装置。
【図１】
2012065033.tif 000003
【図２】
2012065033.tif 000004
【図３】
2012065033.tif 000005
【図４】
2012065033.tif 000006
【図５】
2012065033.tif 000007
【図６】
2012065033.tif 000008
【図７】
2012065033.tif 000009